(57)【特許請求の範囲】
【請求項１】
無線信号を送信する際に利用するパラメータ値に関する情報の取得に応じて当該パラメータ値を設定する基地局と無線通信する移動局であって、
複数の基地局からの無線信号の受信品質に基づいて各基地局のパラメータ値を算出し、当該複数の基地局のうち、受信品質が所要品質を満たす無線信号を送信した基地局へ、前記複数の基地局全ての当該パラメータ値に関する情報を含む無線信号を送信する移動局。
【請求項２】
ネットワークを介して互いに接続されている複数の基地局と、当該複数の基地局と接続して無線通信を行う移動局と、から構成される無線通信システムであって、
前記複数の基地局の各基地局は、無線信号を送信する際に利用するパラメータ値に関する情報の取得に応じて当該パラメータ値を設定しており、
前記移動局は、前記複数の基地局からの無線信号の受信品質に基づいて各基地局のパラメータ値を算出し、当該複数の基地局のうち、受信品質が所要品質を満たす無線信号を送信した基地局へ、前記複数の基地局全ての当該パラメータ値に関する情報を含む無線信号を送信する、無線通信システム。
【請求項３】
無線信号を送信する際に利用するパラメータ値に関する情報の取得に応じて当該パラメータ値を設定する基地局と無線通信する移動局のパラメータ値送信方法において、
複数の基地局からの無線信号の受信品質に基づいて各基地局のパラメータ値を算出するステップと、
前記複数の基地局のうち、受信品質が所要品質を満たす無線信号を送信した基地局へ、前記複数の基地局全ての前記パラメータ値に関する情報を含む無線信号を送信するステップと、を含む移動局のパラメータ値送信方法。
【請求項４】
ネットワークを介して互いに接続されている複数の基地局と、当該複数の基地局と接続して無線通信を行う移動局と、から構成される無線通信システムにおける基地局のパラメータ値設定方法において、
前記複数の基地局の各基地局は、無線信号を送信する際に利用するパラメータ値に関する情報の取得に応じて当該パラメータ値を設定しており、
前記移動局が、
前記複数の基地局からの無線信号の受信品質に基づいて各基地局のパラメータ値を算出するステップと、
前記複数の基地局のうち、受信品質が所要品質を満たす無線信号を送信した基地局へ、前記複数の基地局全ての前記パラメータ値に関する情報を含む無線信号を送信するステップと、を含む無線通信システムにおける基地局のパラメータ値設定方法。
【発明の詳細な説明】
【技術分野】
【０００１】
本発明は、移動局、無線通信システム、移動局のパラメータ値送信方法及び無線通信システムにおける基地局のパラメータ値設定方法に関するものである。
【背景技術】
【０００２】
基地局の新設時、基地局が保持する各種パラメータには仮の値が設定されているため、新設直後に現実の通信環境に照らし合わせて各種パラメータ値を微調整する必要がある。また、通信環境は、新たな基地局の新設や、建造物の増減等により変化するものであるため、新設後にもパラメータ値の調整は必要となる。基地局の送信電力の値（パラメータ値）を調整する場合は、まず、測定者が、基地局からの無線信号が届く位置で、電波強度などを測定機器で測定する。測定結果より調整が必要な場合は、測定者は、電話等によってオペレータセンターのオペレータに送信電力の値の変更を要求する。この要求を受けたオペレータセンターのオペレータが、基地局の送信電力の値を変更する。これにより、送信電力に新しい値が設定される。
【０００３】
当該方法では、測定者は、基地局の電波強度を測定し続け、所望の測定結果が得られるまで、オペレータと電話等で連絡を取り続ける必要がある。そのため、パラメータ値変更に手間と時間がかかる。
【０００４】
そのため、従来、オペレータセンターのオペレータを介在させずにパラメータ値を変更する方法が提案されている（例えば、特許文献１参照）。当該方法では、基地局が自局のパラメータ（送信パワーやサービス品質を示すビット誤り率など）の値をパラメータ値変更用の保守端末（移動局）に送信する。送信されてきたパラメータ値を基に、保守端末の使用者又は保守端末自体がパラメータ値の変更の必要性を判断する。パラメータ値の変更が必要であれば、変更指示が保守端末から基地局に送信され、基地局によってパラメータ値が変更される。
【先行技術文献】
【特許文献】
【０００５】
【特許文献１】特開２００２−２４６９９０号公報
【発明の概要】
【発明が解決しようとする課題】
【０００６】
しかし、従来の方法は、１つの移動局が１つの基地局のパラメータ値を変更することを想定している。そのため、パラメータ値の変更を必要とする基地局が複数存在する場合、移動局は、基地局と確実に通信を行うことができるようにするために、各基地局からの電波が届く領域（セル）でも基地局近傍に位置しなければならず、セル間を移動することになる。そのため、パラメータ値の変更を必要とする基地局が多いほど、移動局の移動距離は長くなり、複数の基地局のパラメータ値を変更するためには、多大な時間が必要となる。
【０００７】
一般的に、ある基地局のセルと、当該基地局に隣接する基地局のセルとは、各セルエッジ（基地局からの電波が届く領域の境界）近傍で重なり合っている。そのため、複数のセルが重なり合っている領域（以下、セルエッジ近傍領域とする）では、移動局が複数の基地局と通信できる可能性がある。しかし、セルエッジ近傍領域は、基地局から離れた領域であるため通信環境が悪い。特に、移動局の送信パワーは基地局より小さいため、基地局からのデータは受信できるが、基地局にデータを送信できないということが起こりやすい。また、セルエッジ近傍領域では、複数の基地局からの無線信号が干渉する恐れもある。そのため、パラメータ値の変更は、セルエッジ近傍領域での通信環境を考慮して変更することが望ましい。しかし、従来の方法では、基地局自身が取得した情報からパラメータ値を変更しており、セルエッジ近傍領域での通信環境は考慮されていない。また、不安定な通信環境であるセルエッジ近傍領域においては、移動局が、ある基地局には変更すべきパラメータ値を送信できるが、ある基地局には送信できないということが起こる。この場合、移動局は、通信できなかった基地局のパラメータ値を変更するために、セルエッジ近傍領域を避け、当該基地局と通信できる領域を選んで移動することになる。
【０００８】
従って、上記のような問題点に鑑みてなされた本発明の目的は、セルエッジ近傍領域で、１つの移動局が複数の基地局にパラメータ値を変更させることのできる移動局、無線通信システム、移動局のパラメータ値送信方法及び無線通信システムにおける基地局のパラメータ値設定方法を提供することにある。
【課題を解決するための手段】
【０００９】
上述した諸課題を解決すべく、第１の観点による移動局は、無線信号を送信する際に利用するパラメータ値に関する情報の取得に応じて当該パラメータ値を設定する基地局と無線通信する移動局であって、複数の基地局からの無線信号の受信品質に基づいて各基地局のパラメータ値を算出し、当該複数の基地局のうち、受信品質が所要品質を満たす無線信号を送信した基地局へ、前記複数の基地局全ての当該パラメータ値に関する情報を含む無線信号を送信するものである。
【００１０】
また、第２の発明による無線通信システムは、ネットワークを介して互いに接続されている複数の基地局と、当該複数の基地局と接続して無線通信を行う移動局と、から構成される無線通信システムであって、前記複数の基地局の各基地局は、無線信号を送信する際に利用するパラメータ値に関する情報の取得に応じて当該パラメータ値を設定しており、前記移動局は、前記複数の基地局からの無線信号の受信品質に基づいて各基地局のパラメータ値を算出し、当該複数の基地局のうち、受信品質が所要品質を満たす無線信号を送信した基地局へ、前記複数の基地局全ての当該パラメータ値に関する情報を含む無線信号を送信するものである。
【００１１】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００１２】
例えば、本発明の第１の観点を方法として実現させた移動局のパラメータ値送信方法は、無線信号を送信する際に利用するパラメータ値に関する情報の取得に応じて当該パラメータ値を設定する基地局と無線通信する移動局のパラメータ値送信方法において、複数の基地局からの無線信号の受信品質に基づいて各基地局のパラメータ値を算出するステップと、
前記複数の基地局のうち、受信品質が所要品質を満たす無線信号を送信した基地局へ、前記複数の基地局全ての前記パラメータ値に関する情報を含む無線信号を送信するステップと、を含むものである。
【００１３】
また、本発明の第２の観点を方法として実現させた無線通信システムにおける基地局のパラメータ値設定方法は、ネットワークを介して互いに接続されている複数の基地局と、当該複数の基地局と接続して無線通信を行う移動局と、から構成される無線通信システムにおける基地局のパラメータ値設定方法において、前記複数の基地局の各基地局は、無線信号を送信する際に利用するパラメータ値に関する情報の取得に応じて当該パラメータ値を設定しており、前記移動局が、前記複数の基地局からの無線信号の受信品質に基づいて各基地局のパラメータ値を算出するステップと、前記複数の基地局のうち、受信品質が所要品質を満たす無線信号を送信した基地局へ、前記複数の基地局全ての前記パラメータ値に関する情報を含む無線信号を送信するステップと、を含むものである。
【発明の効果】
【００１４】
上記のように構成された本発明に係る移動局、無線通信システム及び無線通信システムにおけるパラメータ値設定方法によれば、受信品質が所要品質を満たす無線信号を送信した基地局のみへ、複数の基地局全てのパラメータ値に関する情報を含む無線信号が送信され、基地局は、当該情報のうち自局に関係するパラメータ値のみを設定し、自局に関係しないパラメータ値は他の基地局に送信する。これにより、セルエッジ近傍領域において、少なくとも１つの基地局と通信できれば、複数の移動局のパラメータ値を変更することができる。
【図面の簡単な説明】
【００１５】
【図１】図１は、本発明の一実施形態に係る無線通信システムの概略構成を示す機能ブロック図である。
【図２】図２は、本発明の一実施形態に係る移動局と基地局との位置関係を示す図である。
【図３】図３は、本発明の一実施形態に係る移動局の処理を示すフローチャートである。
【図４】図４は、本発明の一実施形態に係る基地局の処理を示すフローチャートである。
【図５】図５は、本発明の一実施形態に係る基地局のパラメータ値が設定されるまでのシーケンス図である。
【発明を実施するための形態】
【００１６】
以下、本発明に係る一実施形態について、図面を参照して説明する。
【００１７】
図１は、本発明の一実施形態に係る無線通信システムの概略構成を示す機能ブロック図である。本発明の一実施形態に係る無線通信システム１０１は、移動局１１１と基地局１４１とで構成されている。移動局１１１は、携帯電話やＰＨＳといった無線通信端末である。基地局１４１は、移動局１１１と無線通信を行うもので、例えば、ＬＴＥ（Long Term Evolution）システムではｅＮＢ（evolved Node B）、ＨＲＰＤ（High Rate Packet Data：高速パケットデータ）システムではＡＮ（Access Network）と称されるものである。
【００１８】
移動局１１１は、移動局アンテナ１１３と、移動局通信部１１５と、移動局制御部１１７とで構成されている。移動局通信部１１５は、移動局アンテナ１１３を介して基地局１４１からの無線信号を受信する移動局受信部１１９と、移動局アンテナ１１３を介して基地局１４１への無線信号を送信する移動局送信部１２１とを備えている。移動局送信部１２１が送信する無線信号には、例えば、基地局１４１が無線信号を送信する際に利用するパラメータ値に関する情報が含まれる。基地局１４１が無線信号を送信する際に利用するパラメータ値とは、例えば送信電力、通信レート又はプリアンブル長などの最適値又は指定値などである。パラメータ値に関する情報には、パラメータ値の変更が必要な基地局のＩＤ（Identification）情報も含めることができるため、複数の基地局のパラメータ値に関する情報をまとめて送信しても、基地局側では、ＩＤ情報を基に情報を基地局毎に区別することができる。移動局制御部１１７は、移動局１１１の各機能ブロックをはじめとして移動局１１１の全体を制御及び管理している。移動局制御部１１７は、ＣＰＵ（中央処理装置）等の任意の好適なプロセッサ上で実行されるソフトウェアとして構成したり、処理ごとに特化した専用のプロセッサ（例えばＤＳＰ（デジタルシグナルプロセッサ））によって構成したりすることもできる。
【００１９】
本発明の一実施形態に係る移動局制御部１１７は、保守対象基地局設定部１２３と、アクセス対象基地局設定部１２５と、ＩＤ取得部１２７と、受信品質取得部１２９と、算出部１３１とを備えるものとする。保守対象基地局設定部１２３は、保守、つまりパラメータ値の変更が必要な基地局を決定する。アクセス対象基地局設定部１２５は、移動局１１１がパラメータ値に関する情報を送信する基地局を決定する。ＩＤ取得部１２７は、移動局受信部１１９が受信した無線信号からＩＤ情報を取得し、どの基地局からの無線信号であるかを特定する。受信品質取得部１２９は、移動局受信部１１９で受信された無線信号の受信品質、例えば、受信時の電波強度やビット誤り率などを取得する。算出部１３１は、受信品質取得部１２９により取得された受信品質を基に、基地局が無線信号を送信する際に利用するパラメータ値を決定する。パラメータ値とは、例えば受信品質が良く、且つ複数の基地局からの無線信号の干渉を抑えられる最適な送信電力値である。
【００２０】
基地局１４１は、基地局アンテナ１４３と、基地局通信部１４５と、基地局間送受信部１４６と、基地局制御部１４７とで構成されている。基地局１４１は複数存在し、基地局間送受信部１４６（Ｘ２インタフェース）によって、ネットワークを介して基地局同士接続されている。Ｘ２インタフェースとは、３ＧＰＰ（3rd Generation Partnership Project）で規定された無線基地局間インタフェースのことである。基地局同士のＸ２インタフェースによるネットワーク接続は、有線により実現され、移動局と基地局との間の無線ネットワークに比べると、安定した通信環境を提供するものである。基地局通信部１４５は、基地局アンテナ１４３を介して移動局１１１からの無線信号を受信する基地局受信部１４９と、基地局アンテナ１４３を介して移動局１１１への無線信号を送信する基地局送信部１５１とを備えている。基地局間送受信部１４６は、ネットワークを介して自局と接続されている他の基地局とデータを送受信する。データとは、例えば、各基地局が無線信号を送信する際に利用するパラメータ値に関する情報である。基地局制御部１４７は、基地局１４１の各機能ブロックをはじめとして基地局１４１の全体を制御及び管理している。基地局制御部１４７は、ＣＰＵ（中央処理装置）等の任意の好適なプロセッサ上で実行されるソフトウェアとして構成したり、処理ごとに特化した専用のプロセッサ（例えばＤＳＰ（デジタルシグナルプロセッサ））によって構成したりすることもできる。
【００２１】
本発明の一実施形態に係る基地局制御部１４７は、パラメータ値取得部１５３と、パラメータ値設定部１５５とを備えるものとする。パラメータ値取得部１５３は、基地局受信部１４９又は基地局間送受信部１４６が受信したパラメータ値に関する情報から、自局に関係するパラメータ値を取得し、取得した情報をパラメータ値設定部１５５に送る。また、パラメータ値取得部１５３は、自局に関係しないパラメータ値に関する情報を基地局間送受信部１４６に送る。受信情報が自局に関係するか否かの判断は、情報に含まれるＩＤ情報により行われる。パラメータ値取得部１５３によって、受信情報に複数の基地局に関する情報が含まれている場合も、自局に関係する情報のみを抽出することができる。パラメータ値設定部１５５は、パラメータ値取得部１５３から送られてきた自局に関係するパラメータ値を設定する。これにより、パラメータ値の変更が行われることになる。
【００２２】
続いて、無線通信システム１０１におけるパラメータ値設定方法について、図２、図３、図４及び図５を参照して説明する。図２は、本発明の一実施形態に係る移動局と基地局との位置関係を示す図である。図３は、本発明の一実施形態に係る移動局の処理を示すフローチャートである。図４は、本発明の一実施形態に係る基地局の処理を示すフローチャートである。図５は、本発明の一実施形態に係る基地局のパラメータ値が設定されるまでのシーケンス図である。
【００２３】
以下、図２のように、移動局１１１と３つの基地局１４１ａ、１４１ｂ、１４１ｃとが位置している状況における３つの基地局のパラメータ値設定について説明する。なお、図１の基地局１４１に示した各機能ブロックに関する参照符号として、基地局１４１ａに関する機能ブロックの参照符号にはａを、基地局１４１ｂに関する機能ブロックの参照符号にはｂを、基地局１４１ｃに関する機能ブロックの参照符号にはｃを付して説明する。なお、本実施形態では、パラメータ値は、基地局１４１ａ〜ｃの送信電力の値であるとする。
【００２４】
図２において、領域１６１ａは、基地局１４１ａの電波が届く範囲（セル）を示している。領域１６１ｂは、基地局１４１ｂの電波が届く範囲を示している。領域１６１ｃは、基地局１４１ｃの電波が届く範囲を示している。セルの境界（セルエッジ）の近傍では、複数のセルが重なり合っている。この重なり合っている領域を以下、セルエッジ近傍領域とする。例えば、セルエッジ近傍領域Ａにおいて、移動局１１１は、複数の基地局１４１ａ〜ｃから無線信号（電波）を受信できる。なお、領域１６１ａ〜ｃは、移動局１１１から基地局１４１ａ〜ｃへ電波が届くことを保証するものではない。移動局１１１は基地局１４１ａ〜ｃよりも送信出力が小さいため、基地局１４１ａ〜ｃからの無線信号を受信できても、基地局１４１ａ〜ｃに無線信号を送信できない場合がある。特に、セルエッジ近傍領域では、移動局１１１は、基地局１４１ａ〜ｃに無線信号を送信できない可能性が高い。
【００２５】
まず、図３のフローチャートを用いて移動局１１１の処理について説明する。保守対象基地局設定部１２３は、パラメータ値（送信電力の値）を変更すべき基地局（保守対象基地局）を設定する（ステップＳ１０１及び図５の１）。以下、保守対象基地局設定部１２３は、パラメータ値の変更が必要な基地局として基地局１４１ａ〜ｃを設定したとする。なお、本発明は、保守対象基地局を予め設定することに限定されず、基地局１４１ａ〜ｃからの無線信号の受信品質に応じて、保守対象基地局設定部１２３は保守対象基地局を設定及び変更することができる。
【００２６】
移動局１１１は、基地局１４１ａ〜ｃ全ての基地局送信部１５１から送られてくる無線信号を受信できる領域（セルエッジ近傍領域Ａ）に移動し、基地局１４１ａ〜ｃから無線信号を受信できているか否かを判断する（ステップＳ１０２及び図５の２）。基地局１４１ａ〜ｃ全ての基地局から無線信号を受信できているか否かは、ＩＤ取得部１２７が無線信号に含まれる基地局１４１ａ〜ｃのＩＤ情報から判断する。移動局１１１の移動局受信部１１９が、保守対象基地局の基地局送信部１５１から送られてくる無線信号を受信できると（ステップＳ１０２のＹｅｓ）、受信品質取得部１２９は、移動局受信部１１９により受信された無線信号の受信品質を取得する（ステップＳ１０３及び図５の３）。受信品質とは、例えば受信地点における電波強度や、データの誤り率などである。なお、本発明では、受信品質は、一回の受信に関する無線信号の品質に限定されるものではない。受信品質取得部１２９は、複数回に亘って受信された無線信号の品質の平均値を受信品質として特定することもできる。例えば、１０分間に３秒毎に取得した無線信号の品質の平均値を受信品質として特定することができる。
【００２７】
続いて、受信品質取得部１２９が取得した受信品質から、アクセス対象基地局設定部１２５は、受信品質が所要品質を満たす無線信号を送信した基地局を特定する（ステップＳ１０４及び図５の４）。所要品質とは、移動局１１１が基地局１４１ａ〜ｃと通信を行う上で必要とされる受信環境のことであり、例えば、受信電力や、データの誤り率などに関する閾値によって規定される。アクセス対象基地局設定部１２５は、受信品質が所要品質を満たす無線信号を送信した基地局をアクセス対象基地局として設定する。移動局１１１は複数の基地局１４１ａ〜ｃから無線信号を受信できる領域、つまりセルエッジ近傍領域Ａに位置しているので、移動局１１１の送信電力や無線信号の干渉具合によっては、移動局１１１は基地局１４１ａ〜ｃに情報を送信できない恐れがある。そこで、基地局からの無線信号の受信品質が良ければ、移動局が基地局に無線信号を送信できる可能性が高いと判断し、受信品質が所要品質を満たす無線信号を送信した基地局をアクセス対象基地局として設定する。移動局１１１は、アクセス対象に選ばれた基地局にパラメータ値に関する情報を送ることになる。なお、受信品質は、時々刻々と変動するものであるため、アクセス対象基地局設定部１２５は、無線信号の受信品質の変動する毎に、受信品質が所要品質を満たすか否かを判断し、アクセス対象を変更することができる。以下、説明の便宜上、受信品質が所要品質を満たす無線信号を送信した基地局は、基地局１４１ａのみであったとする。
【００２８】
次に、算出部１３１が、受信品質取得部１２９により取得された受信品質に基づいて基地局１４１ａ〜ｃのパラメータ値を算出する（ステップＳ１０５及び図５の５）。例えば、算出部１３１は、移動局１１１と基地局１４１ａ〜ｃとの距離を考慮して、受信地点における電波強度がある所望の値より小さい場合には、基地局の送信電力が大きくなるようなパラメータ値を、又は受信地点における電波強度がある所望の値より大きい場合には、基地局の送信電力が小さくなるようなパラメータ値を指定することができる。また、算出部１３１は、受信品質や複数の基地局からの無線信号の干渉の程度などから最適な送信電力値を決定することもできる。
【００２９】
そして、算出部１３１は、算出したパラメータ値を、基地局１４１ａ〜ｃのＩＤ情報と関連付けて、移動局通信部１１５に送る。移動局送信部１２１は、移動局アンテナ１１３を介して、アクセス対象基地局１４１ａに保守対象基地局１４１ａ〜ｃ全てのパラメータ値及び関連するＩＤ情報を含む無線信号を送信する（ステップＳ１０６及び図５の６）。
【００３０】
続いて、図４のフローチャートを用いて基地局１４１ａ〜ｃの処理について説明する。基地局１４１ａの基地局受信部１４９ａは、基地局アンテナ１４３ａを介して、移動局１１１からパラメータ値及び関連するＩＤ情報を含む無線信号を受信する（ステップＳ１１１）。そして、基地局制御部１４７ａのパラメータ値取得部１５３ａは、基地局１４１ａ〜ｃのＩＤ情報を基に、受信した情報から自局に関係するパラメータ値のみを取得する（ステップＳ１１２）。その後、パラメータ値取得部１５３ａは、取得したパラメータ値をパラメータ値設定部１５５ａに送り、自局に関係しないパラメータ値及び関連するＩＤ情報を基地局間送受信部１４６ａに送る。
【００３１】
パラメータ値設定部１５５ａは、パラメータ値取得部１５３ａが取得したパラメータ値を自局の対応するパラメータに設定する（ステップＳ１１３及び図５の７）。本実施形態では、送信電力の値がパラメータ値として移動局１１１から送信されるので、ステップＳ１１３により、基地局１４１ａが移動局１１１に送る無線信号の送信電力の値が変更されることになる。
【００３２】
基地局１４１ａが受信した情報のうち自局に関係しないパラメータ値に関する情報については、基地局間送受信部１４６ａが、当該情報全てを、Ｘ２インタフェースにより他の基地局１４１ｂの基地局間送受信部１４６ｂに送信する（ステップＳ１１４及び図５の８）。なお、基地局１４１ａが自局に関係しないパラメータ値に関する情報を送信する送信先は、基地局１４１ｂに限定されず、基地局１４１ｃに送信することもできる。また、基地局１４１ａは、自局に関係しないパラメータ値に関する情報全てを基地局１４１ｂ又は１４１ｃに送信せずに、ＩＤ情報を基に、基地局１４１ｂに関する情報のみ基地局１４１ｂに、基地局１４１ｃに関する情報のみ基地局１４１ｃに送信することもできる。
【００３３】
基地局１４１ｂの基地局間送受信部１４６ｂが、基地局１４１ａからパラメータ値に関する情報を受信すると（ステップＳ１１１）、基地局１４１ｂは、基地局１４１ａでの処理と同様、自局に関係するパラメータ値に関する情報のみ取得及び設定し（ステップＳ１１２、Ｓ１１３及び図５の９）、自局に関係しないパラメータ値に関する情報は、他の基地局１４１ｃに送信する（ステップＳ１１４図５の１０）。基地局１４１ｂと同様にして基地局１４１ｃがパラメータ値を設定することにより（図５の１１）、全ての基地局１４１ａ〜ｃのパラメータ値の設定が完了することになる。
【００３４】
パラメータ値の設定完了後に、移動局１１１の受信品質取得部１２９が取得した電波強度が所望の値ではない、又は所望の範囲に収まっていない場合には、上記ステップＳ１０１〜Ｓ１０６及びＳ１１１〜Ｓ１１４が繰り返されことになる。
【００３５】
このように本実施形態では、移動局受信部１１９が複数の基地局１４１ａ〜ｃからの無線信号を受信すると、算出部１３１は、当該無線信号の受信品質から各基地局のパラメータ値を算出し、受信品質が所要品質を満たす無線信号を送信した基地局１４１aへ、基地局１４１ａ〜ｃ全てのパラメータ値に関する情報を含む無線信号を送信する。基地局１４１ａの基地局受信部が無線信号を受信すると、基地局制御部１４７は、自局に関係するパラメータ値を設定し、且つ基地局間送受信部１４６に、自局に関係しないパラメータ値に関する情報を他の基地局１４１ｂへ送信させる。つまり、セルエッジ近傍領域に位置する移動局１１１が、パラメータ値を変更すべき３基の基地局１４１ａ〜ｃから無線信号を受信し、１基の基地局１４１ａにパラメータ値に関する情報を含む無線信号を送信する。移動局１１１からパラメータ値に関する情報が送信されてこない基地局１４１ｂ及びｃは、Ｘ２インタフェースによる基地局間接続により基地局１４１ａ又はｂからパラメータ値を取得し、変更できる。よって、移動局１１１が少なくとも１基と双方向通信が可能であれば、複数の基地局のパラメータ値を変更することが可能である。移動局と基地局との間の無線ネットワークよりも安定しているＸ２インタフェースによる基地局間ネットワークを利用することにより、移動局１１１は、セルエッジ近傍領域において１基ずつパラメータ値を無線信号で送信するよりも効率的に変更すべきパラメータ値を基地局１４１ａ〜ｃに届けることができる。
【００３６】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【００３７】
例えば、各部材、各手段、各ステップなどに含まれる機能などは論理的に矛盾しないように再配置可能であり、複数の手段やステップなどを１つに組み合わせたり、或いは分割したりすることが可能である。
【符号の説明】
【００３８】
１０１  無線通信システム
１１１  移動局
１１３  移動局アンテナ
１１５  移動局通信部
１１７  移動局制御部
１１９  移動局受信部
１２１  移動局送信部
１２３  保守対象基地局設定部
１２５  アクセス対象基地局設定部
１２７  ＩＤ取得部
１２９  受信品質取得部
１３１  算出部
１４１、１４１ａ、１４１ｂ、１４１ｃ  基地局
１４３  基地局アンテナ
１４５  基地局通信部
１４６  基地局間送受信部
１４７  基地局制御部
１４９  基地局受信部
１５１  基地局送信部
１５３  パラメータ値取得部
１５５  パラメータ値設定部
１６１ａ、１６１ｂ、１６１ｃ  領域
Ａ  セルエッジ近傍領域
【図１】
0005619311.tif 000002
【図２】
0005619311.tif 000003
【図３】
0005619311.tif 000004
【図４】
0005619311.tif 000005
【図５】
0005619311.tif 000006